(57)【要約】【課題】周囲の騒音レベルに応じて、乗客が聞き取りやすい最適な音量で放送をすることができる、乗客コンベアを提供する。【解決手段】本発明の実施形態は、音声信号を出力する音声合成装置９１と、音声合成装置９１からの音声信号の音量を調整する音量調整装置９２と、音量調整装置９２からの音声信号を出力するスピーカ５４，５８と、乗客コンベア１０の周囲の音を収集するマイク８０，８２と、差動増幅器９４と、制御部５０とを有する、放送装置９０を備える乗客コンベア１０であって、差動増幅器９４は、正極入力端子に入力されたマイク８０，８２が収集した音信号から、負極入力端子に入力された音量調整装置９２からの音声信号を打ち消し、乗客コンベア１０の周囲の騒音のみを抽出した騒音信号を出力し、制御部５０は、差動増幅器９４からの騒音信号が大きくなるほど、スピーカ５４，５８から出力される音声信号の音量を大きくする、乗客コンベア１０である。【選択図】      図２
2019018977.tif 000002
【特許請求の範囲】
【請求項１】
乗客コンベアの情報に関する音声信号を出力する音声合成装置と、
前記音声合成装置からの前記音声信号の音量を調整する音量調整装置と、
前記音量調整装置からの前記音声信号を出力するスピーカと、
前記乗客コンベアの周囲の音を収集するマイクと、
差動増幅器と、
制御部とを有する、放送装置を備える乗客コンベアであって、
前記差動増幅器の正極入力端子には、前記マイクが収集した音信号が入力され、
前記差動増幅器の負極入力端子には、前記音量調整装置からの前記音声信号が入力され、
前記差動増幅器は、前記正極入力端子に入力された前記音信号から、前記負極入力端子に入力された前記音声信号を打ち消し、前記乗客コンベアの周囲の騒音のみを抽出した騒音信号を出力し、
前記制御部は、前記差動増幅器からの前記騒音信号が大きくなるほど、前記スピーカから出力される前記音声信号の音量を大きくするように前記音量調整装置を制御する、乗客コンベア。
【請求項２】
音声と同じ周波数領域を透過する第１バンドパスフィルタと第２バンドパスフィルタをさらに有し、
前記第１バンドパスフィルタは、前記マイクが収集した前記音信号を処理した後、前記差動増幅器に出力し、
前記第２バンドパスフィルタは、前記音声合成装置からの前記音声信号を処理した後、前記差動増幅器に出力する、請求項１に記載の乗客コンベア。
【請求項３】
前記第１バンドパスフィルタで処理した前記音信号を所定の利得で増幅し、前記差動増幅器に出力する増幅器をさらに有し、
前記利得は、前記スピーカからの前記音声信号が出力されていない状況の前記音信号が、予め定めた最低音信号値より小さい場合に、前記スピーカから前記音声信号を出力し、前記差動増幅器からの前記騒音信号が０になるように調整されている、請求項２に記載の乗客コンベア。
【請求項４】
前記音量調整装置は、前記音声信号の音量を標準音量段階から最大音量段階まで順番に前記音量が大きくなるように音量段階を調整でき、
前記制御部は、前記差動増幅器からの前記騒音信号が大きくなるほど、前記音量段階が大きくなるように算出して、前記音量調整装置に出力する、請求項１〜３のいずれか１項に記載の乗客コンベア。
【請求項５】
前記差動増幅器からの前記騒音信号が標準騒音信号値より小さい場合に、前記制御部は、前記音量が前記標準音量段階になるように前記音量調整装置を制御する、請求項４に記載の乗客コンベア。
【請求項６】
前記差動増幅器からの前記騒音信号が最大騒音信号値を超えた場合に、前記制御部は、前記音量が前記標準音量段階の所定倍の最大音量段階になるように前記音量調整装置を制御する、請求項４又は５に記載の乗客コンベア。
【請求項７】
前記第１バンドパスフィルタ及び前記第２バンドパスフィルタが、周波数が３００〜８０００Ｈｚの信号を透過するものである、請求項２〜６のいずれか１項に記載の乗客コンベア。
【請求項８】
前記スピーカと前記マイクは、上階の乗降口付近と下階の乗降口付近にそれぞれ設けられ、
上階側の前記スピーカから出力される前記音声信号の音量は、上階側のマイクが収集した前記騒音信号に基づき制御され、
下階側の前記スピーカから出力される前記音声信号の音量は、下階側のマイクが収集した前記騒音信号に基づき制御される、請求項１〜７のいずれか１項に記載の乗客コンベア。
【請求項９】
前記乗客コンベアは、エスカレータ、又は、動く歩道である、請求項１〜８のいずれか１項に記載の乗客コンベア。
【発明の詳細な説明】
【技術分野】
【０００１】
本発明の実施形態は、乗客コンベアに関するものである。
【背景技術】
【０００２】
エスカレータや動く歩道などの乗客コンベアは、乗客に対して注意喚起を行う目的や、運転方向又は行き先を案内する目的で、乗客コンベアの情報に関する放送を行う放送装置が取り付けられている。この放送装置から音声により放送されるアナウンスの音量は、乗客コンベアの設置環境や利用状況に合わせて設定されており、保守員などが適切な音量に設定し放送している。
【先行技術文献】
【特許文献】
【０００３】
【特許文献１】特開２０１２−２４６１３１号公報
【特許文献２】特開２０１３−１１２４９９号公報
【発明の概要】
【発明が解決しようとする課題】
【０００４】
しかしながら、時間帯や日々の利用状況が異なるショッピングセンターや展示会場などでは、周囲の騒音レベルが小さい状況下において大きな音量で放送をすると騒音問題になり、逆に、騒音レベルが大きい状況下において小さな音量で放送をすると乗客は放送が聞き取りにくくなるという問題が生じることがあった。
【０００５】
そこで本発明の実施形態は、上記問題点に鑑み、周囲の騒音レベルに応じて、乗客が聞き取りやすい最適な音量で放送をすることができる、乗客コンベアを提供することを目的とする。
【課題を解決するための手段】
【０００６】
本発明の実施形態は、乗客コンベアの情報に関する音声信号を出力する音声合成装置と、前記音声合成装置からの前記音声信号の音量を調整する音量調整装置と、前記音量調整装置からの前記音声信号を出力するスピーカと、前記乗客コンベアの周囲の音を収集するマイクと、差動増幅器と、制御部とを有する、放送装置を備える乗客コンベアであって、前記差動増幅器の正極入力端子には、前記マイクが収集した音信号が入力され、前記差動増幅器の負極入力端子には、前記音量調整装置からの前記音声信号が入力され、前記差動増幅器は、前記正極入力端子に入力された前記音信号から、前記負極入力端子に入力された前記音声信号を打ち消し、前記乗客コンベアの周囲の騒音のみを抽出した騒音信号を出力し、前記制御部は、前記差動増幅器からの前記騒音信号が大きくなるほど、前記スピーカから出力される前記音声信号の音量を大きくするように前記音量調整装置を制御する、乗客コンベアである。
【図面の簡単な説明】
【０００７】
【図１】本発明の一実施形態を示すエスカレータの側面から見た説明図。
【図２】本発明の一実施形態の放送装置を示すブロック図。
【発明を実施するための形態】
【０００８】
以下、本発明の一実施形態のエスカレータ１０を図１，２に基づいて説明する。
【０００９】
（１）エスカレータ１０
エスカレータ１０の構造について、図１に基づいて説明する。図１はエスカレータ１０を側面から見た説明図である。
【００１０】
エスカレータ１０の枠組みであるトラス１２が、建屋１の上階と下階に跨がって支持アングル２，３を用いて支持されている。
【００１１】
トラス１２の上端部にある上階側の機械室１４内部には、踏段３０を走行させる駆動装置１８、左右一対の主駆動スプロケット２４，２４、左右一対の手摺り駆動スプロケット１００，１００が設けられている。この駆動装置１８は、モータ２０と、減速機と、この減速機の出力軸に取り付けられた出力スプロケットと、この出力スプロケットにより駆動する駆動チェーン２２と、モータ２０の回転を停止させ、かつ、停止状態を保持するディスクブレーキとを有している。この駆動チェーン２２により左右一対の主駆動スプロケット２４，２４が回転する。左右一対の主駆動スプロケット２４，２４と左右一対の手摺り駆動スプロケット１００，１００とは、不図示の連結ベルトにより連結されて同期して回転する。また、上階側の機械室１４内部には、モータ２０やディスクブレーキなどを制御する制御部５０が設けられている。
【００１２】
トラス１２の下端部にある下階側の機械室１６内には、左右一対の従動スプロケット２６，２６が設けられている。上階側の左右一対の主駆動スプロケット２４，２４と下階側の左右一対の従動スプロケット２６，２６との間には、左右一対の無端の踏段チェーン２８，２８が掛け渡されている。左右一対の踏段チェーン２８，２８には、複数の踏段３０が等間隔で取り付けられている。モータ２０が回転すると踏段３０の前輪３０１は、トラス１２に固定された不図示の案内レールを走行し、後輪３０２はトラス１２に固定された案内レール２５を走行する。
【００１３】
トラス１２の左右両側には、左右一対の欄干３６，３６が立設されている。この欄干３６の上部に手摺りレール３９が設けられ、この手摺りレール３９に沿って無端状の手摺りベルト３８が移動する。欄干３６の上階側の正面下部には上階側の正面スカートガード４０が設けられ、下階側の正面下部には下階側の正面スカートガード４２が設けられ、正面スカートガード４０，４２から手摺りベルト３８の出入口であるインレット部４６，４８がそれぞれ突出している。
【００１４】
欄干３６の側面下部には、スカートガード４４が設けられ、左右一対のスカートガード４４，４４の間を踏段３０が走行する。上下階のスカートガード４４の内側面には、操作盤５２，５６、スピーカ５４，５８、マイク８０，８２がそれぞれ設けられている。
【００１５】
手摺りベルト３８は、上階側のインレット部４６から正面スカートガード４０内に侵入し、案内ローラ群６４を介して手摺り駆動スプロケット１００に掛け渡され、その後、案内ローラ群６６を介してスカートガード４４内を移動し、下階側のインレット部４８から正面スカートガード４２外に表れる。そして、手摺りベルト３８は、手摺り駆動スプロケット１００が主駆動スプロケット２４と共に回転することにより踏段３０と同期して移動する。また、回転する手摺り駆動スプロケット１００に走行する手摺りベルト３８を押圧するための押圧部材７０を有する。
【００１６】
上階側の左右一対のスカートガード４４，４４の乗降口であって、機械室１４の天井面には、上階側の乗降板３２が水平に設けられている。下階側の左右一対のスカートガード４４，４４の乗降口であって、機械室１６の天井面には、下階側の乗降板３４が水平に設けられている。上階側の乗降板３２の先端には櫛歯状のコム６０が設けられ、このコム６０に踏段３０が侵入する。また、下階側の乗降板３４の先端にも櫛歯状のコム６２が設けられている。
【００１７】
（２）放送装置９０
エスカレータ１０には、乗客に対して注意喚起を行う目的や、運転方向又は行き先を案内する目的で、エスカレータ１０に関する情報を放送する放送装置９０が設けられている。放送装置９０について、図２のブロック図に基づいて説明する。
【００１８】
放送装置９０は、音声合成装置９１と、音量調整装置９２と、スピーカ５４，５８と、マイク８０，８２と、バンドパスフィルタ９５，９６と、増幅器９３と、差動増幅器９４と、アナログ−デジタル変換回路（以下、ＡＤ変換回路という）９７と、制御部５０とを有する。
【００１９】
音声合成装置９１は、予めメモリに記録しておいたデータから乗客コンベア１０の情報に関する音声信号を、音声合成により生成し出力するものである。
【００２０】
音量調整装置９２は、音声合成装置９１から出力される音声信号の音量を調整した後、スピーカ５４，５８に出力する。また、バンドパスフィルタ９６を介して、差動増幅器９４にも出力する。音量調整装置９２は、制御部５０により、制御されている。
【００２１】
スピーカ５４，５８は、音量調整装置９２により音量が調整された音声信号を出力するものである。
【００２２】
マイク８０，８２は、エスカレータ１０の周囲の音を収集し、収集した音信号をバンドパスフィルタ９５と増幅器９３を介して、差動増幅器９４へと出力するものである。
【００２３】
バンドパスフィルタ９５，９６は、周波数が３００〜８０００Ｈｚの信号を透過するものである。
【００２４】
増幅器９３は、マイク８０，８２が収集した音信号であって、バンドパスフィルタ９５で処理した音信号を所定の利得で増幅し、差動増幅器９４に出力するものである。
【００２５】
差動増幅器９４は、正極入力端子と負極入力端子とを有し、それぞれに入力された信号の差を、ＡＤ変換回路９７を介して、制御部５０へと出力する。
【００２６】
（３）放送の動作状態
放送の動作状態について説明する。音量調整装置９２は、スピーカ５４，５８から出力される音声信号の音量が、エスカレータ１０の周囲の騒音レベルに応じて乗客が聞き取りやすい音量となるように、制御部５０により次のように制御されている。
【００２７】
まず、マイク８０，８２により収集された、エスカレータ１０の周囲の音信号は、バンドパスフィルタ９５に出力される。バンドパスフィルタ９５により処理された音信号は、増幅器９３に出力され、所定の利得で増幅された後、差動増幅器９４の正極入力端子に入力される。
【００２８】
次に、音声合成装置９１は、音声合成により生成された、エスカレータ１０の情報に関する音声信号を、音量調整装置９２へと出力する。
【００２９】
次いで、音量調整装置９２に入力された音声信号は、音量が調整された後、スピーカ５４，５８に出力される。また、バンドパスフィルタ９６を介して、差動増幅器９４の負極入力端子に入力される。
【００３０】
そして、差動増幅器９４は、正極入力端子に入力された音信号から、負極入力端子に入力された音声信号を打ち消すことで、マイク８０，８２が収集した音信号に含まれる、スピーカ５４、５８が出力した音声信号を取り除き、エスカレータ１０の周囲の騒音信号のみを抽出し、ＡＤ変換回路９７に出力する。
【００３１】
ＡＤ変換回路９７に入力された信号は、アナログ信号からデジタル信号へと変換され、制御部５０へと出力される。
【００３２】
すなわち、差動増幅器９４が、マイク８０，８２が収集した音信号の音量から抽出したエスカレータ１０の周囲の騒音信号が大きくなるほど、制御部５０は、スピーカ５４，５８から出力される音声信号の音量を大きくするように、音量調整装置９２を制御する。
【００３３】
増幅器９３の利得は、適宜調整することができるが、スピーカ５４，５８から音声信号を出力していない状況において、エスカレータ１０の周囲の騒音レベルが予め定めた最低音信号値よりも小さい状況、例えば、騒音レベルが図書館の騒音に相当する４０デシベル以下である状況下において、スピーカ５４，５８から音声信号の出力を行い、差動増幅器９４から出力される騒音信号が０になるように調整されたものであることが好ましい。このような調整を行うことにより、マイク８０，８２が収集した音信号に含まれる、スピーカ５４，５８が出力した音声信号を正確に取り除くことができる。
【００３４】
スピーカ５４，５８から出力される音声信号の音量は、音量調整装置９２により、標準音量段階から最大音量段階まで順番に音量が大きくなるように音量段階を調整することができる。具体的には、まず、差動増幅器９４から出力される騒音信号が、予め定めた標準騒音信号値以下である場合に騒音レベルが最小であるとし、スピーカ５４，５８から出力される音声信号の音量を、エスカレータ１０のそれぞれの設置環境に応じて乗客が聞き取りやすい最適な音量に設定し、これを標準音量段階とする。そして、制御部５０は、差動増幅器９４からの騒音信号が大きくなるほど、音量段階が大きくなるように算出し、騒音信号が予め定めた最大騒音信号値を超えた場合に騒音レベルが最大であるとし、スピーカ５４，５８から出力される音声信号の音量を、例えば、標準音量段階の２倍である最大音量段階に調整するように音量調整装置９２を制御することができる。
【００３５】
放送装置９０は、図１に示すように、上階側及び下階側にスピーカ５４，５８とマイク８０，８２とがそれぞれ設けられているが、上階側のスピーカ５４から出力される音声信号の音量は、上階側のマイク８０が収集した騒音レベルに応じて制御され、下階側のスピーカ５８から出力される音声信号の音量は、下階側のマイク８２が収集した騒音レベルに応じて制御されるものとすることができる。
【００３６】
（４）効果
本実施形態によれば、エスカレータ１０の周囲の騒音の大きさに応じて、乗客が聞き取りやすいようにスピーカ５４，５８から出力される音声信号の音量を調整することができる。
【００３７】
特に、スピーカ５４，５８から出力される音声信号の周波数３００〜８０００Ｈｚと同じ周波数領域の騒音が大きいと、放送が聞こえにくくなるため、上記周波数領域の騒音が大きくなるほど、スピーカ５４，５８から出力される音声信号の音量を大きくすることにより、最適な音量とすることができる。
【００３８】
（５）変更例
上記実施形態においては、音声と同じ周波数領域の騒音レベルに基づいて、スピーカ５４，５８から出力される音声信号の音量を調整するものについて説明したが、これに限定されず、エスカレータ１０が設置される環境において、考慮するべき種類の騒音、例えば、駅に設置される場合であれば電車の音などの騒音レベルに基づいて、音量を調整するものであってもよい。
【００３９】
上記実施形態においては、マイク８０，８２とスピーカ５４，５８を上階側と下階側にそれぞれ設けたものについて説明したが、これに限定されず、上階側のみに設けてもよく、下階側のみに設けてもよく、乗り口側のみに設けてもよく、降り口側のみに設けてもよい。
【００４０】
上記実施形態において、乗客がいない際に行われる待機運転時では、エスカレータ１０の周囲の騒音レベルが大きくても音量を調整しないものとしてもよく、騒音レベルが最小であれば、放送をしないものとしてもよい。
【００４１】
上記実施形態においては、マイク８０，８２を上下階のスカートガード４４の内側面に設けたものについて説明したが、乗降板３２，３４とスカートガード４４との隙間や、乗降口に設置され、光電管センサーにより利用者を検出しエスカレータ１０の始動と停止を自動で行うことを可能とするポールや、表示板により案内を行うポールに設けてもよい。
【００４２】
また、上記実施形態では、エスカレータ１０に適用して説明したが、これに代えて動く歩道に適用してもよい。
【００４３】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４４】
１０・・・エスカレータ、１・・・建屋、１２・・・トラス、１４，１６・・・機械室、１８・・・駆動装置、２０・・・モータ、２２・・・駆動チェーン、２４・・・主駆動スプロケット、３０・・・踏段、３２，３４・・・乗降板、３６・・・欄干、３８・・・手摺りベルト、４０，４２・・・正面スカートガード、４４・・・スカートガード、４６，４８・・・インレット部、５０・・・制御部、５４，５８・・・スピーカ、８０，８２・・・マイク、９０・・・放送装置、９１・・・音声合成装置、９２・・・音量調整装置、９３・・・増幅器、９４・・・差動増幅器、９５，９６・・・バンドパスフィルタ、９７・・・アナログ−デジタル変換回路、１００・・・手摺り駆動スプロケット
【図１】
2019018977.tif 000003
【図２】
2019018977.tif 000004
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
乗客コンベアの情報に関する音声信号を出力する音声合成装置と、
前記音声合成装置からの前記音声信号の音量を調整する音量調整装置と、
前記音量調整装置からの前記音声信号を出力するスピーカと、
前記乗客コンベアの周囲の音を収集するマイクと、
差動増幅器と、
制御部と、
音声と同じ周波数領域を透過する第１バンドパスフィルタと第２バンドパスフィルタと、
前記第１バンドパスフィルタで処理した前記音信号を所定の利得で増幅し、前記差動増幅器に出力する増幅器とを有する、放送装置を備える乗客コンベアであって、
前記差動増幅器の正極入力端子には、前記第１バンドパスフィルタと前記増幅器により処理された前記マイクが収集した音信号が入力され、
前記差動増幅器の負極入力端子には、前記第２バンドパスフィルタにより処理された前記音量調整装置からの前記音声信号が入力され、
前記差動増幅器は、前記正極入力端子に入力された前記音信号から、前記負極入力端子に入力された前記音声信号を打ち消し、前記乗客コンベアの周囲の騒音のみを抽出した騒音信号を出力し、
前記制御部は、前記差動増幅器からの前記騒音信号が大きくなるほど、前記スピーカから出力される前記音声信号の音量を大きくするように前記音量調整装置を制御し、
前記利得は、前記スピーカからの前記音声信号が出力されていない状況の前記音信号が、予め定めた最低音信号値より小さい場合に、前記スピーカから前記音声信号を出力し、前記差動増幅器からの前記騒音信号が０になるように調整されている、乗客コンベア。
【請求項２】
前記音量調整装置は、前記音声信号の音量を標準音量段階から最大音量段階まで順番に前記音量が大きくなるように音量段階を調整でき、
前記制御部は、前記差動増幅器からの前記騒音信号が大きくなるほど、前記音量段階が大きくなるように算出して、前記音量調整装置に出力する、請求項１に記載の乗客コンベア。
【請求項３】
前記差動増幅器からの前記騒音信号が標準騒音信号値より小さい場合に、前記制御部は、前記音量が前記標準音量段階になるように前記音量調整装置を制御する、請求項２に記載の乗客コンベア。
【請求項４】
前記差動増幅器からの前記騒音信号が最大騒音信号値を超えた場合に、前記制御部は、前記音量が前記標準音量段階の所定倍の最大音量段階になるように前記音量調整装置を制御する、請求項２又は３に記載の乗客コンベア。
【請求項５】
前記第１バンドパスフィルタ及び前記第２バンドパスフィルタが、周波数が３００〜８０００Ｈｚの信号を透過するものである、請求項１〜４のいずれか１項に記載の乗客コンベア。
【請求項６】
前記スピーカと前記マイクは、上階の乗降口付近と下階の乗降口付近にそれぞれ設けられ、
上階側の前記スピーカから出力される前記音声信号の音量は、上階側のマイクが収集した前記騒音信号に基づき制御され、
下階側の前記スピーカから出力される前記音声信号の音量は、下階側のマイクが収集した前記騒音信号に基づき制御される、請求項１〜５のいずれか１項に記載の乗客コンベア。
【請求項７】
前記乗客コンベアは、エスカレータ、又は、動く歩道である、請求項１〜６のいずれか１項に記載の乗客コンベア。
【手続補正２】
【補正対象書類名】明細書
【補正対象項目名】０００６
【補正方法】変更
【補正の内容】
【０００６】
本発明の実施形態は、乗客コンベアの情報に関する音声信号を出力する音声合成装置と、前記音声合成装置からの前記音声信号の音量を調整する音量調整装置と、前記音量調整装置からの前記音声信号を出力するスピーカと、前記乗客コンベアの周囲の音を収集するマイクと、差動増幅器と、制御部と、音声と同じ周波数領域を透過する第１バンドパスフィルタと第２バンドパスフィルタと、前記第１バンドパスフィルタで処理した前記音信号を所定の利得で増幅し、前記差動増幅器に出力する増幅器とを有する、放送装置を備える乗客コンベアであって、前記差動増幅器の正極入力端子には、前記第１バンドパスフィルタと前記増幅器により処理された前記マイクが収集した音信号が入力され、前記差動増幅器の負極入力端子には、前記第２バンドパスフィルタにより処理された前記音量調整装置からの前記音声信号が入力され、前記差動増幅器は、前記正極入力端子に入力された前記音信号から、前記負極入力端子に入力された前記音声信号を打ち消し、前記乗客コンベアの周囲の騒音のみを抽出した騒音信号を出力し、前記制御部は、前記差動増幅器からの前記騒音信号が大きくなるほど、前記スピーカから出力される前記音声信号の音量を大きくするように前記音量調整装置を制御し、前記利得は、前記スピーカからの前記音声信号が出力されていない状況の前記音信号が、予め定めた最低音信号値より小さい場合に、前記スピーカから前記音声信号を出力し、前記差動増幅器からの前記騒音信号が０になるように調整されている、乗客コンベアである。
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
乗客コンベアの情報に関する音声信号を出力する音声合成装置と、
前記音声合成装置からの前記音声信号の音量を調整する音量調整装置と、
前記音量調整装置からの前記音声信号を出力するスピーカと、
前記乗客コンベアの周囲の音を収集するマイクと、
差動増幅器と、
制御部と、
音声と同じ周波数領域を透過する第１バンドパスフィルタと第２バンドパスフィルタと、
前記第１バンドパスフィルタで処理した音信号を所定の利得で増幅し、前記差動増幅器に出力する増幅器とを有する、放送装置を備える乗客コンベアであって、
前記差動増幅器の正極入力端子には、前記第１バンドパスフィルタと前記増幅器により処理された前記マイクが収集した音信号が入力され、
前記差動増幅器の負極入力端子には、前記第２バンドパスフィルタにより処理された前記音量調整装置からの前記音声信号が入力され、
前記差動増幅器は、前記正極入力端子に入力された前記音信号から、前記負極入力端子に入力された前記音声信号を打ち消し、前記乗客コンベアの周囲の騒音のみを抽出した騒音信号を出力し、
前記制御部は、前記差動増幅器からの前記騒音信号が大きくなるほど、前記スピーカから出力される前記音声信号の音量を大きくするように前記音量調整装置を制御し、
前記利得は、前記スピーカからの前記音声信号が出力されていない状況の前記音信号が、予め定めた最低音信号値より小さい場合に、前記スピーカから前記音声信号を出力し、前記差動増幅器からの前記騒音信号が０になるように調整されている、乗客コンベア。
【請求項２】
前記音量調整装置は、前記音声信号の音量を標準音量段階から最大音量段階まで順番に前記音量が大きくなるように音量段階を調整でき、
前記制御部は、前記差動増幅器からの前記騒音信号が大きくなるほど、前記音量段階が大きくなるように算出して、前記音量調整装置に出力する、請求項１に記載の乗客コンベア。
【請求項３】
前記差動増幅器からの前記騒音信号が標準騒音信号値より小さい場合に、前記制御部は、前記音量が前記標準音量段階になるように前記音量調整装置を制御する、請求項２に記載の乗客コンベア。
【請求項４】
前記差動増幅器からの前記騒音信号が最大騒音信号値を超えた場合に、前記制御部は、前記音量が前記標準音量段階の所定倍の最大音量段階になるように前記音量調整装置を制御する、請求項２又は３に記載の乗客コンベア。
【請求項５】
前記第１バンドパスフィルタ及び前記第２バンドパスフィルタが、周波数が３００〜８０００Ｈｚの信号を透過するものである、請求項１〜４のいずれか１項に記載の乗客コンベア。
【請求項６】
前記スピーカと前記マイクは、上階の乗降口付近と下階の乗降口付近にそれぞれ設けられ、
上階側の前記スピーカから出力される前記音声信号の音量は、上階側のマイクが収集した前記騒音信号に基づき制御され、
下階側の前記スピーカから出力される前記音声信号の音量は、下階側のマイクが収集した前記騒音信号に基づき制御される、請求項１〜５のいずれか１項に記載の乗客コンベア。
【請求項７】
前記乗客コンベアは、エスカレータ、又は、動く歩道である、請求項１〜６のいずれか１項に記載の乗客コンベア。
【手続補正２】
【補正対象書類名】明細書
【補正対象項目名】０００６
【補正方法】変更
【補正の内容】
【０００６】
本発明の実施形態は、乗客コンベアの情報に関する音声信号を出力する音声合成装置と、前記音声合成装置からの前記音声信号の音量を調整する音量調整装置と、前記音量調整装置からの前記音声信号を出力するスピーカと、前記乗客コンベアの周囲の音を収集するマイクと、差動増幅器と、制御部と、音声と同じ周波数領域を透過する第１バンドパスフィルタと第２バンドパスフィルタと、前記第１バンドパスフィルタで処理した音信号を所定の利得で増幅し、前記差動増幅器に出力する増幅器とを有する、放送装置を備える乗客コンベアであって、前記差動増幅器の正極入力端子には、前記第１バンドパスフィルタと前記増幅器により処理された前記マイクが収集した音信号が入力され、前記差動増幅器の負極入力端子には、前記第２バンドパスフィルタにより処理された前記音量調整装置からの前記音声信号が入力され、前記差動増幅器は、前記正極入力端子に入力された前記音信号から、前記負極入力端子に入力された前記音声信号を打ち消し、前記乗客コンベアの周囲の騒音のみを抽出した騒音信号を出力し、前記制御部は、前記差動増幅器からの前記騒音信号が大きくなるほど、前記スピーカから出力される前記音声信号の音量を大きくするように前記音量調整装置を制御し、前記利得は、前記スピーカからの前記音声信号が出力されていない状況の前記音信号が、予め定めた最低音信号値より小さい場合に、前記スピーカから前記音声信号を出力し、前記差動増幅器からの前記騒音信号が０になるように調整されている、乗客コンベアである。